(57)【要約】【課題】通話断が発生したとき、新たな無線アクセスシステムで通信を確立する機能を実現する統合無線システム用ネットワーク及び端末、並びに統合無線システムを得る。【解決手段】端末１０とノード８間のデータ通信経路を形成する複数の無線アクセスシステム２２〜２５、インターネット網６、ハンドオーバーのための制御信号を通信するサーバー７、通信可能な経路を選択する経路選択部３４を備え、無線アクセスシステム２２〜２５は、通信不能となった場合サーバー及び経路選択部に通信不能を通知する機能を備え、経路選択部３４は、通話断となった無線アクセスシステムを記憶する機能を有し、サーバー７は、通信不能となった場合経路選択部へ通信可能と思われる無線アクセスシステムを問い合わせ、通信可能な無線アクセスシステムがあった場合、そのネットワークを端末との間で制御信号のやり取りを行うネットワークとして使用する。【選択図】図１
2006197245.tif 000002
【特許請求の範囲】
【請求項１】
端末とノード間のデータ通信経路を形成するための複数の無線アクセスシステムと、
前記ノードと前記複数の無線アクセスシステムとの間を接続するための通信網と、
前記通信網及び前記複数の無線アクセスシステムを介して前記端末に前記複数の無線アクセスシステムとの間のハンドオーバーのための制御信号を通信するためのサーバーと、
通信可能な無線アクセスシステムの経路を選択するための経路選択部と
を備えた統合無線システム用ネットワークであって、
前記複数の無線アクセスシステムは、前記端末との間で通信不能となった場合に前記サーバー及び前記経路選択部に通信不能であることを通知する機能をそれぞれ備え、
前記経路選択部は、通話断となった無線アクセスシステムを記憶する機能を有し、
前記サーバーは、特定の無線アクセスシステムが通信不能となった場合の通知を前記経路選択部へ伝え、前記経路選択部へ通信可能と思われる無線アクセスシステムを問い合わせ、その問い合わせ結果に基づいて、無線アクセスシステムとの通信を行って通信可能か確認し、通信可能な無線アクセスシステムがあった場合、その無線アクセスシステムを端末との間で制御信号のやり取りを行うネットワークとして使用する
ことを特徴とする統合無線システム用ネットワーク。
【請求項２】
統合無線システムにおける端末とノード間のデータ通信経路を形成するための複数の無線アクセスシステムと通信する通信機能部と、
前記通信機能部を介して前記統合無線システムのネットワーク側のサーバーとハンドオーバーのための制御信号を通信するＢＡＳ制御部と、
ハンドオーバーするための候補リストを記憶するハンドオーバー候補リスト部と、
特定の無線アクセスシステムが通信不能となった場合、前記ハンドオーバー候補リスト部に記憶されたリストに従って通信に使用する無線アクセスシステムの変更を指示するためのハンドオーバー制御部と
を備えた統合無線システム用端末。
【請求項３】
請求項２に記載の統合無線システム用端末において、
前記ハンドオーバー候補リスト部は、ハンドオーバーするための候補リストをネットワーク側から取得し、候補リストを更新する機能を有する
ことを特徴とする統合無線システム用端末。
【請求項４】
請求項２に記載の統合無線システム用端末において、
前記ハンドオーバー候補リスト部は、特定の通信システムと通信不能となった場合、ハンドオーバーするための候補リストを修正する機能を有する
ことを特徴とする統合無線システム用端末。
【請求項５】
請求項１記載の統合無線システム用ネットワークと、請求項２ないし４のいずれか１項に記載の統合無線システム用端末とを備えたことを特徴とする統合無線システム。
【発明の詳細な説明】
【技術分野】
【０００１】
この発明は、複数の無線通信システムから構成される統合無線システム用ネットワーク及び統合無線システム用端末、並びに統合無線システム用ネットワークと統合無線システム用端末とを備えた統合無線システムに関し、特にシグナリングとしてＢＡＳ（Basic Access Signaling）を用いる場合の通話断時の処理技術に関するものである。
【背景技術】
【０００２】
従来の統合無線システムは、複数の無線アクセスシステム間でシームレスなサービスを実現するために、発着信、位置通知、認証、無線アクセスシステムの発見・選択・切り替え等を可能とするためＢＡＳとよぶ制御プロトコルを用いる。この従来の統合無線システムでは、ある無線アクセスシステムから他の無線アクセスシステムへ切り替える場合は、ＢＡＳを用いて、他の無線アクセスシステムへ切り替えるための制御信号を伝送していた。このＢＡＳをユーザーとネットワークの間で伝達する方法としては、既存の無線アクセスシステムへオーバーレイする方法がある（例えば非特許文献１）。
【０００３】
すなわち、従来の統合無線システムは、端末とノード間のデータ通信経路を形成するための無線アクセススシステムとして、ＰＨＳの無線アクセスシステム、無線ＬＡＮ（IEEE802.11b）の無線アクセスシステム、第２世代移動体通信システムの無線アクセスシステム、第３世代移動体通信システムの無線アクセスシステムを備え、インターネット網を介してこれら無線アクセスシステムと接続されるサーバーにより、これら無線アクセスシステムの切り替えが管理される。なお、第２世代及び第３世代の移動体通信システムの無線アクセスシステムは、各無線アクセスシステムの基地局とネットワークを含む。
【０００４】
従来の統合無線システムにおいて、ＰＨＳの無線アクセスシステムから無線ＬＡＮの無線アクセスシステムに切り替える（異なる無線アクセスシステムの間でハンドオーバーする）場合を例として説明する。ここで、無線アクセスシステムの切り替えに関するＢＡＳの制御プロトコルを伝送する無線アクセスシステムとして第２世代移動体通信システムを用いる。始めに、端末が、ＰＨＳの無線アクセスシステムおよびインターネット網を経由して、ノードと通信している際に、端末とノードとの間の通信をＰＨＳから無線ＬＡＮへ切り替える場合、切り替えに要する制御信号は、ＢＡＳとして、サーバーと端末との間で、インターネット網、第２世代移動体通信システムの無線アクセスシステムを経由して相互に伝送される。このＢＡＳの制御信号に基づき、端末は、通信を行う経路を無線ＬＡＮの無線アクセスシステムへ切り替える（ハンドオーバーする）。
【０００５】
【非特許文献１】井上、マハムド、村上、長谷川、森川著「ＲＡＮオーバーレイ型ＭＩＲＡＩシステム（１）概要」電子情報通信学会、２００３年総合大会、Ｂ−５−１３１、２００３年３月
【発明の開示】
【発明が解決しようとする課題】
【０００６】
上述したように、従来の無線システムは、ハンドオーバー時にサーバーと端末の間でＢＡＳを用いて制御信号をやり取りしているが、サーバーや端末は、どの無線アクセスシステムと通信するかのみを管理し、通話断を検出して記憶する機能を有していない。このため、通話断後に再度通信を行おうとした場合、通話することが困難な無線アクセスシステムが選択され通話できない場合があった。ここで、通話断とは、無線アクセスシステムのサービスエリア外に端末が出た場合や、通信障害が起こるなどした場合、端末とある無線アクセスシステム間で通信が途絶え、再接続なども困難な場合を意味する。
【０００７】
この発明は上記のような問題点を解決するためになされたもので、通話断が発生したとき、新たな無線アクセスシステムで通信を確立する機能を実現することができる統合無線システム用ネットワーク及び端末、並びに統合無線システムを得ることを目的とする。
【課題を解決するための手段】
【０００８】
この発明に係る統合無線システム用ネットワークは、端末とノード間のデータ通信経路を形成するための複数の無線アクセスシステムと、前記ノードと前記複数の無線アクセスシステムとの間を接続するための通信網と、前記通信網および前記複数の無線アクセスシステムを介して前記端末に前記複数の無線アクセスシステムとの間のハンドオーバーのための制御信号を通信するためのサーバーと、通信可能な無線アクセスシステムの経路を選択するための経路選択部とを備えた統合無線システム用ネットワークであって、前記複数の無線アクセスシステムは、前記端末との間で通信不能となった場合に前記サーバー及び前記経路選択部に通信不能であることを通知する機能をそれぞれ備え、前記経路選択部は、通話断となった無線アクセスシステムを記憶する機能を有し、前記サーバーは、特定の無線アクセスシステムが通信不能となった場合の通知を前記経路選択部へ伝え、前記経路選択部へ通信可能と思われる無線アクセスシステムを問い合わせ、その問い合わせ結果に基づいて、無線アクセスシステムとの通信を行って通信可能か確認し、通信可能な無線アクセスシステムがあった場合、その無線アクセスシステムを端末との間で制御信号のやり取りを行うネットワークとして使用することを特徴とする。
【０００９】
また、この発明に係る統合無線システム用端末は、統合無線システムにおける端末とノード間のデータ通信経路を形成するための複数の無線アクセスシステムと通信する通信機能部と、前記通信機能部を介して前記統合無線システムのネットワーク側のサーバーとハンドオーバーのための制御信号を通信するＢＡＳ制御部と、ハンドオーバーするための候補リストを記憶するハンドオーバー候補リスト部と、特定の無線アクセスシステムが通信不能となった場合、前記ハンドオーバー候補リスト部に記憶されたリストに従って通信に使用する無線アクセスシステムの変更を指示するためのハンドオーバー制御部とを備えたものである。
【００１０】
さらに、この発明に係る統合無線システムは、上記統合無線システム用ネットワークと、上記統合無線システム用端末とを備えたことを特徴とする。
【発明の効果】
【００１１】
この発明によれば、通話断が発生したとき、経路選択部で通話が出来ない無線アクセスシステムを把握しているので、通話断後に再度通信を行おうとした場合、通話することが困難な無線アクセスシステムが選択されるこが防止され、新たな無線アクセスシステムで通信を確立する機能を実現することができる。
【発明を実施するための最良の形態】
【００１２】
実施の形態１．
図１は、この発明の実施の形態１に係る統合無線システムの構成を示すブロック図である。図１に示す統合無線システムは、統合無線システム用ネットワークと、統合無線システム用端末１０とを備えたもので、統合無線システム用ネットワークは、端末１０とノード８間のデータ通信経路を形成するための複数の無線アクセスシステム２２〜２５と、ノード８と複数の無線アクセスシステム２２〜２５との間を接続するための通信網としてのインターネット網６と、インターネット網６および複数の無線アクセスシステム２２〜２５を介して端末１０に複数の無線アクセスシステム２２〜２５との間のハンドオーバーのための制御信号を通信するためのサーバー７と、通信可能な無線アクセスシステムの経路を選択するための経路選択部３４とを備えている。
【００１３】
ここで、複数の無線アクセスシステム２２〜２５は、端末１０との間で通信不能となった場合に通話断を検出する検出機能と通信断をサーバー７及び経路選択部３４に通信不能であることを通知する通知機能をそれぞれ備えたもので、ＰＨＳの無線アクセスシステム２２、無線ＬＡＮの無線アクセスシステム２３、第２世代移動体通信システムの無線アクセスシステム２４、第３世代移動体通信システムの無線アクセスシステム２５を有する。
【００１４】
また、経路選択部３４は、従来の経路選択機能に加えて、通話断となった無線アクセスシステムを記憶する機能を有し、サーバー７は、特定の無線アクセスシステムが通信不能となった場合の通知を経路選択部３４へ伝え、経路選択部３４へ通信可能と思われる無線アクセスシステムを問い合わせ、その問い合わせ結果に基づいて、無線アクセスシステムとの通信を行って通信可能か確認し、通信可能な無線アクセスシステムがあった場合、その無線アクセスシステムを端末との間で制御信号のやり取りを行うネットワークとして使用する。
【００１５】
また、統合無線システム用端末１０は、ノードとの間のデータ通信経路を形成するための複数の無線アクセスシステム２２〜２５と通信する通信機能部１１と、通信機能部１１を介してネットワーク側のサーバー７とハンドオーバーのための制御信号を通信するＢＡＳ制御部１２と、特定の無線アクセスシステムが通信不能となった場合、通信に使用する無線アクセスシステムの変更を指示するためのハンドオーバー制御部１３とを備えている。
【００１６】
次に動作について説明する。ここで、説明のため、端末１０は、ＰＨＳの無線アクセスシステム２２、インターネット網６を用いてノード８と通信を行っていたものと仮定する。通信中に、端末１０がＰＨＳの無線アクセスシステム２２のサービスエリアの圏外に出るなどして、端末１０と無線アクセスシステム２２の通話が通話断となった場合を考える。このとき、無線アクセスシステム２２は、通話断となったことをサーバー７および経路選択部３４へ通知する。経路選択部３４では、ＰＨＳの無線アクセスシステム２２を通じた通信が出来ないことを記憶する。また、ＰＨＳの無線アクセスシステム２２は、通話断となったことを通信相手先のノード８へ通知して、端末１０とノード８との通信を終了させる。
【００１７】
さらに、サーバー７は、経路選択部３４に対して、通信可能な無線アクセスシステムを問い合わせる。経路選択部３４は、通信可能と思われる無線通信ネットワークをサーバー７へ回答する。図１では、この経路選択部３４からの回答は、ＰＨＳの無線アクセスシステム２２以外の無線アクセスシステム２３〜２５となる。サーバー７は、この無線アクセスシステム２３〜２５を候補として用いて端末１０と通信を試み、通信が可能か確認し、通信可能な無線アクセスシステムがあった場合、その無線アクセスシステムを制御信号やりとりするためのＢＡＳとして使用する。
【００１８】
なお、ここでは説明のため、第２世代移動体通信システムの無線アクセスシステム２３をＢＡＳとして使用すると仮定する。また、無線アクセスシステム２３〜２５を用いて端末１０と通信可能か確認する際に通信が出来ない無線アクセスシステムがあった場合、そのことを経路選択部３４に通知する。経路選択部３４では端末１０と通信できない無線アクセスシステムを記憶する。ここでは、無線ＬＡＮの無線アクセスシステム２３で端末１０との通信が不可能で、第２世代移動体通信システムの無線アクセスシステム２４、第３世代移動体通信システムの無線アクセスシステム２５では端末１０と通信が可能であった場合で、第２世代移動体通信システムの無線アクセスシステム２４をＢＡＳとした場合を仮定して説明を行う。
【００１９】
次に、インターネット網６に接続されたノード８から、端末１０へ通信の発呼があった場合の動作について説明する。ノード８から発呼があった場合、その発呼はインターネット網６を介してサーバー７へ伝えられる。サーバー７では、経路選択部３４へ、端末１０と通信可能な無線アクセスシステムを問い合わせる。経路選択部３４では、上述したように、端末１０と通信が出来ない無線アクセスシステム２２、２３が記憶されているので、それ以外の無線アクセスシステム２４、２５の中から通信を選択する。選択された無線アクセスシステムが第２世代移動体通信システムの無線アクセスシステム２４であった場合では、この無線アクセスシステム２４をＢＡＳとして使用しているので、そのまま、無線アクセスシステム２４で端末１０とノード８との通信を確立する。経路選択部３４で選択した無線アクセスシステムが第３世代移動体通信システムの無線アクセスシステム２５であった場合には、従来と同様な手順により、無線アクセスシステム２５で端末１０とノード８との通信を確立した上で、ＢＡＳを無線アクセスシステム２５に切り替える。
【００２０】
なお、本実施の形態では、無線アクセスシステムとして、ＰＨＳ、無線ＬＡＮ、第２世代移動体通信システム、第３世代移動体通信システムを例示したが、これ以外の無線アクセスシステムであっても同様な効果を奏する。また、本実施の形態では、サーバー７と経路選択部３４を個別に図示したが、サーバー７内で経路選択部３４の機能を実現した場合でも同様な機能を奏する。また、上述した実施の形態では、無線アクセスシステム２２で通話断となった場合、それ以外の無線アクセスシステム２３〜２５を用いて端末１０と通信可能か確認するとしたが、この通話断となった無線アクセスシステム以外での通信可能かの確認を行わない場合でも同様な効果を奏する。
【００２１】
従って、実施の形態１に係る統合無線システムによれば、経路選択部３４で通話が出来ない無線アクセスシステムを把握しているので、通話断後に再度通信を行おうとした場合、通話することが困難な無線アクセスシステムが選択されるのが防止される。
【００２２】
実施の形態２．
図２は、この発明の実施の形態２に係る統合無線システムの構成を示すブロック図である。図２に示す統合無線システムにおいて、図１に示す実施の形態１と同一部分は同一符号を付してその説明は省略する。図２に示す実施の形態２に係る統合無線システムでは、統合無線システム用端末として、端末３０に、図１に示す実施の形態１と同様な、通信機能部１１、ＢＡＳ制御部１２、ハンドオーバー制御部１３の他に、ハンドオーバーするための候補リストを記憶するハンドオーバー候補リスト部３１をさらに備え、ハンドオーバー制御部１３は、特定の無線アクセスシステムが通信不能となった場合、ハンドオーバー候補リスト部３１に記憶されたリストに従って通信に使用する無線アクセスシステムの変更を指示するようになされている。
【００２３】
次に、本実施の形態２に係る端末１０の動作について説明する。ここで、説明のため、端末１０は、ＰＨＳの無線アクセスシステム２２、インターネット網６を用いてノード８通信を行っていたものと仮定する。通信中に、端末１０がＰＨＳの無線アクセスシステム２２のサービスエリアの圏外に出るなどして、端末１０と無線アクセスシステム２２の通話が通話断となった場合を考える。通話断となった場合、端末３０側では、通信機能部１１が通話断を検出すると、通話断となったことをハンドオーバー制御部１３へ伝える。ハンドオーバー制御部１３では、ハンドオーバー候補リスト部１４のリストを参照し、そのリストに記載された順序で他の無線アクセスシステムを用いてネットワーク側との通信を試みる。
【００２４】
具体的には、ハンドオーバー候補リスト部１４に、ＰＨＳの無線アクセスシステム２２、無線ＬＡＮの無線アクセスシステム２３、第２世代移動体通信システムの無線アクセスシステム２４、第３世代移動体通信システムの無線アクセスシステム２５の順序が指定されていたとする。この場合、第１番目の候補であるＰＨＳの無線アクセスシステム２２が通話断となったので、次の順序である無線ＬＡＮ無線アクセスシステム２３を用いて通信可能か確認するために、通信機能部１１を無線ＬＡＮに設定する。そして、通信機能部１１は、無線ＬＡＮで無線ＬＡＮの無線アクセスシステム２３と接続を試みる。ここで、無線ＬＡＮで通信が可能である場合は、ＢＡＳ制御部１２は、無線ＬＡＮの無線アクセスシステム２３をＢＡＳとして使用するように端末３０、サーバー７を設定する。一方、無線ＬＡＮで通信が不可能であった場合は、ハンドオーバー候補リスト部１４のリストに従い、次の順序の第２世代移動体通信システムの無線アクセスシステム２４で通信可能か無線ＬＡＮの場合と同様な手順で確認する。
【００２５】
ハンドオーバー候補リスト部１４のリストに記載された全ての無線アクセスシステムとの通信を試みて、その全てで通信が不可能であった場合、再度ハンドオーバー候補リスト部１４のリストにしたがって無線アクセスシステムとの通信を試みる。このとき、再度通信を試みるまでの時間間隔としては、連続した時間で行っても、時間を空けた場合や定期的に再度通信を試みた場合でも同様な効果を奏する。
【００２６】
従って、実施の形態２に係る統合無線システムによれば、通話断となった場合、端末３０は、ハンドオーバー候補リスト部１４のリストに従って、それ以外の無線アクセスシステムと通信可能か確認し、通信可能な無線アクセスシステムをＢＡＳとして使用することが出来るので、通話断が発生したとき、新たな無線アクセスシステムで通信を確立することが可能となる。
【００２７】
実施の形態３．
上述した実施の形態２に係る統合無線システム用端末３０のハンドオーバー候補リスト部１４に、経路選択部３４における経路選択の候補との整合をとるために、定期的もしくは不定期に、ハンドオーバー候補リスト部１４のリストの更新の有無や更新があった場合に、新たなリストをネットワーク側のサーバー７もしくは経路選択部３４から取得する機能を備えるようにして、これに対応することができる。
【００２８】
実施の形態４．
また、上述した実施の形態２に係る統合無線システム用端末３０のハンドオーバー候補リスト部１４に、特定の通信システムと通信不能となった場合、ハンドオーバーするための候補リストを修正する機能を備えるようにしても良い。すなわち、実施の形態２のハンドオーバー候補リスト部１４のリストに従って通話断時の処理を行い、ハンドオーバー候補リスト部１４のリストに記載された順序で通信可能な無線通信ネットワークを検索した場合、その結果に基づき、ハンドオーバー候補リスト部１４のリストに記載された順序を入れ替える、もしくは、通信不可能な無線通信ネットワークをハンドオーバー候補リスト部１４のリストから除外する等の機能を備えるようにすることもできる。
【００２９】
なお、ハンドオーバー候補リスト部１４のリストの更新方法としては、ハンドオーバー候補リスト部１４のリストの記載順序の入れ替えや、通信不可能な無線通信ネットワークのハンドオーバー候補リスト部１４のリストから除外すること以外でも可能である。また、実施の形態３で説明したネットワーク側から最新のハンドオーバー候補リストを取得する機能と、本実施の形態４の端末で無線通信ネットワークを検索した結果を用いてハンドオーバー候補リストを修正する機能の双方を備えた場合でも同様な効果を奏する。
【００３０】
実施の形態５．
また、ハンドオーバーするための候補リストを修正する機能として、実施の形態１に示した経路選択部３４で通話断となった無線アクセスシステム以外の無線アクセスシステムを候補として用いた端末との通信結果の確認を元に、実施の形態２に示した端末３０のハンドオーバー候補リスト部１４のリストを書き換える機能を備えるようにしても良い。
【図面の簡単な説明】
【００３１】
【図１】この発明の実施の形態１に係る統合無線システムの構成を示すブロック図である。
【図２】この発明の実施の形態２に係る統合無線システムの構成を示すブロック図である。
【符号の説明】
【００３２】
６  インターネット網、７  サーバー、８  ノード、１０，３０  統合無線システム用端末、１１  通信機能部、１２  ＢＡＳ制御部、１３  ハンドオーバー制御部、２２  通話断を検出する機能を備えたＰＨＳの無線アクセスシステム、２３  通話断を検出する機能を備えた無線ＬＡＮの無線アクセスシステム、２４  通話断を検出する機能を備えた第２世代移動体通信システムの無線アクセスシステム、２５  通話断を検出する機能を備えた第３世代移動体通信システムの無線アクセスシステム、３４  経路選択部、３１  ハンドオーバー候補リスト部、３４  経路選択部。
【図１】
2006197245.tif 000003
【図２】
2006197245.tif 000004